(57)【要約】  【課題】  記録開始直後にシーンチェンジが起きないようにし、記録開始時のエンコードの品質および品位を向上させ、再生時の画面のチラツキあるいはブロックノイズやモスキートノイズの発生を極力抑えることができる光ディスク記録再生装置を提供する。  【解決手段】  ＲＥＣキーが押下されると、所定のタイマ時間がセットされ、ピクチャ信号が取り込まれる。前回に取り込まれたピクチャ信号と今回に取り込まれたピクチャ信号との差分値が、差分閾値と比較され、差分閾値以上であれば、ピクチャ信号のシーンチェンジが有ると判定される。また、タイマ時間が経過したか否かが判定される。ピクチャ信号のシーンチェンジが有ると判定された時、あるいはタイマ時間が経過したと判定された時は、入力映像信号をエンコーダでエンコードさせ、光ディスクに対してエンコードデータの記録を開始させる。【選択図】      図３
2006268992.tif 000002
【特許請求の範囲】
【請求項１】
光ディスクに対して映像音声情報の記録／再生を行う光ディスク記録再生装置において
、記録キーを押下したとき所定のタイマ時間をセットするタイマセット手段と、入力され
た映像信号によるビデオフレームのピクチャ信号を取り込むピクチャ取込手段と、前記ピ
クチャ取込手段により前回に取り込まれたピクチャ信号と前記ピクチャ取込手段により今
回に取り込まれたピクチャ信号との差分値を抽出して予め設定された差分閾値と前記差分
値とを比較することにより前記差分値を評価する差分値評価手段と、前記差分値が前記差
分閾値以上であれば前記ピクチャ信号のシーンチェンジが有ると判定するシーンチェンジ
判定手段と、前記タイマセット手段によりセットされたタイマ時間を経過したか否かを判
定するタイマ時間判定手段と、前記シーンチェンジが有ると判定された時、あるいは前記
タイマ時間を経過したと判定された時に、前記映像信号をエンコーダでエンコードさせ、
記録を開始させるエンコード・記録開始手段とを有するピクチャ処理部を備えたことを特
徴とする光ディスク記録再生装置。
【請求項２】
光ディスクに対して映像音声情報の記録／再生を行う光ディスク記録再生装置において
、記録キーを押下して記録開始時に、前回のピクチャ信号と今回のピクチャ信号との差分
値による評価に基づいて、シーンチェンジが発生しないエンコード開始ピクチャ信号を選
択し、この選択されたピクチャ信号からエンコーダでエンコードさせ、記録を開始させる
ピクチャ処理部を備えたことを特徴とする光ディスク記録再生装置。
【請求項３】
前記ピクチャ処理部は、入力された映像信号によるビデオフレームのピクチャ信号を取
り込むピクチャ取込手段と、前記ピクチャ取込手段により前回に取り込まれたピクチャ信
号と前記ピクチャ取込手段により今回に取り込まれたピクチャ信号との差分値を抽出して
予め設定された差分閾値と前記差分値とを比較することにより前記差分値を評価する差分
値評価手段と、前記差分値が前記差分閾値以上であれば前記ピクチャ信号のシーンチェン
ジが有ると判定するシーンチェンジ判定手段と、前記シーンチェンジが有ると判定された
時に、前記映像信号をエンコーダでエンコードさせ、記録を開始させるエンコード・記録
開始手段とを有することを特徴とする請求項２に記載の光ディスク記録再生装置。
【請求項４】
前記ピクチャ処理部は、記録キーを押下したとき所定のタイマ時間をセットするタイマ
セット手段と、入力された映像信号によるビデオフレームのピクチャ信号を取り込むピク
チャ取込手段と、前記ピクチャ取込手段により前回に取り込まれたピクチャ信号と前記ピ
クチャ取込手段により今回に取り込まれたピクチャ信号との差分値を抽出して予め設定さ
れた差分閾値と前記差分値とを比較することにより前記差分値を評価する差分値評価手段
と、前記差分値が前記差分閾値以上であれば前記ピクチャ信号のシーンチェンジが有ると
判定するシーンチェンジ判定手段と、前記タイマセット手段によりセットされたタイマ時
間を経過したか否かを判定するタイマ時間判定手段と、前記シーンチェンジが有ると判定
された時、あるいは前記タイマ時間を経過したと判定された時に、前記映像信号をエンコ
ーダでエンコードさせ、記録を開始させるエンコード・記録開始手段とを有することを特
徴とする請求項２に記載の光ディスク記録再生装置。
【発明の詳細な説明】
【技術分野】
【０００１】
本発明は、光ディスクに対して情報の記録／再生を行う光ディスク記録再生装置に関し
、特に、入力映像信号をエンコードする前のピクチャ処理に関する。
【背景技術】
【０００２】
従来から、ＤＶＤレコーダなどの光ディスク記録再生装置では、ＭＰＥＧ（Moving Pic
ture Expert Group）方式などにより画像圧縮して光ディスクに記録している。ＭＰＥＧ
方式などによる画像圧縮の方法は、過去および未来の画像を用いて予測を行う双方向予測
により圧縮を行う圧縮方法と、過去の画像のみを用いて予測を行う単方向予測により圧縮
を行う圧縮方法と、予測を使用せずに圧縮を行う圧縮方法とがある。双方向予測により圧
縮を行う圧縮方法による画像をＢピクチャと言い、単方向予測により圧縮を行う圧縮方法
による画像をＰピクチャと言い、また、予測を使用せずに圧縮を行う圧縮方法による画像
をＩピクチャと言う。
【０００３】
したがって、動画像データの各フレームは、圧縮方法によって、ＢピクチャとＰピクチ
ャとＩピクチャの３種類に分類される。また、これらのフレームを、一枚のＩピクチャを
必ず含む複数のフレームを記録再生可能な符号化単位としてまとめて、ＧＯＰ（Group Of
Pictures）とするようにしている。そして、画像ストリームは、ＧＯＰ単位で復号化が
可能である。
【特許文献１】特開平２００４−３４３８００号公報
【特許文献２】特開２００３−１１１０２２号公報
【発明の開示】
【発明が解決しようとする課題】
【０００４】
ところで、光ディスク記録再生装置では、チューナなどから入力された映像信号を、エ
ンコーダで前述したようにＭＰＥＧ方式によりエンコードし、Ｂピクチャ、Ｐピクチャ、
Ｉピクチャを生成しているが、エンコードを開始する前に、エンコードを行う対象となる
入力映像信号によるビデオフレームのピクチャ信号を選択している訳ではないので、記録
開始直後に当該ピクチャ信号によるシーン（画面）が変る、所謂シーンチェンジが起こる
場合があり、これにより、画面がちらつくようになったり、再生時のブロックノイズやモ
スキートノイズが発生したりするという課題がある。
【０００５】
例えば、通常の番組の画面からコマーシャルの画面に切り換ったとか、アングルが切り
換ったとか等、画面がガラット切り換った状態（シーンチェンジ）になる直前に、リモコ
ンなどのＲＥＣキー（録画キー）を押下してしまった場合、例えば１秒に満たない短時間
の間に、直ぐに画面が切り換わるような映像が記録映像の頭に記録されていると、再生時
には、その映像により画面がちらついて見えるようになり、視聴者にとっては違和感が生
じる。
【０００６】
ＤＶＤレコーダなどの光ディスク記録再生装置では、映像信号は、ＭＰＥＧ方式でエン
コードされて記録されるので、再生時には、シーンチェンジにより高いエンコードビット
レートが要求され、画面が切り換った箇所（記録映像の頭）でブロックノイズが出ること
になる。通常、普通に再生している途中において、画面が切り換ったところでブロックノ
イズが発生する分には、意外に違和感がないが、記録映像の頭の所でブロックノイズが発
生してしまうと、再生時には、通常に比べて、かなり違和感が増加することになる。
【０００７】
要するに、従来の光ディスク記録再生装置では、記録時にエンコード開始ピクチャを選
んでないので、記録開始直後にシーンチェンジが起こる場合があり、これにより、再生時
に画面がちらつくようになったり、また、再生時にブロックノイズやモスキートノイズが
発生するという課題がある。
【０００８】
なお、特許文献１の従来技術は、画像データ（映像データ）の記録開始が指示されたと
きに、受信されている符号化単位の次の符号化単位の画像データから記録媒体への記録を
開始するようにしているが、これは、ＭＰＥＧ方式でエンコードする処理およびエンコー
ドされた後の処理に関するもので、ＭＰＥＧ方式でエンコードされる前のピクチャ信号の
処理に関するものではないので、前記のような課題を解決できるものではない。
【０００９】
また、特許文献２の従来技術は、双方向予測によるフレーム間圧縮が行われた画像デー
タ（映像データ）およびフレーム内圧縮が行われた画像データからなる画像ストリームを
記録する際に、画像ストリームをバッファに一時的に所定量蓄積し、録画開始が指示され
た際に、バッファに一時的に蓄積された画像ストリームからフレーム内圧縮が行われた画
像データを検出し、この検出された画面データ以降の画像ストリームを記録媒体に記録す
るようにしているが、これも、ＭＰＥＧ方式でエンコードする処理およびエンコードされ
た後の処理に関するもので、ＭＰＥＧ方式でエンコードされる前のピクチャ信号の処理に
関するものではないので、前記のような課題を解決できるものではない。
【００１０】
本発明は、上記のような課題を解決するためになされたもので、記録開始直後にシーン
チェンジが起きないようにし、記録開始時のエンコードの品質および品位を向上させ、再
生時の画面のチラツキあるいはブロックノイズやモスキートノイズの発生を極力抑えるこ
とができる光ディスク記録再生装置を提供することを目的とする。
【課題を解決するための手段】
【００１１】
上記目的を達成するために、請求項１の発明は、記録キーを押下したとき所定のタイマ
時間をセットするタイマセット手段と、入力された映像信号によるビデオフレームのピク
チャ信号を取り込むピクチャ取込手段と、前記ピクチャ取込手段により前回に取り込まれ
たピクチャ信号と前記ピクチャ取込手段により今回に取り込まれたピクチャ信号との差分
値を抽出して予め設定された差分閾値と前記差分値とを比較することにより前記差分値を
評価する差分値評価手段と、前記差分値が前記差分閾値以上であれば前記ピクチャ信号の
シーンチェンジが有ると判定するシーンチェンジ判定手段と、前記タイマセット手段によ
りセットされたタイマ時間を経過したか否かを判定するタイマ時間判定手段と、前記シー
ンチェンジが有ると判定された時、あるいは前記タイマ時間を経過したと判定された時に
、前記映像信号をエンコーダでエンコードさせ、記録を開始させるエンコード・記録開始
手段とを有するピクチャ処理部を備えたことを特徴とする光ディスク記録再生装置を提供
する。
【００１２】
この構成において、記録キーが押下されると、所定のタイマ時間がタイマセット手段に
よりセットされ、入力された映像信号によるビデオフレームのピクチャ信号が取り込むピ
クチャ取込手段により取り込まれる。ピクチャ取込手段により前回に取り込まれたピクチ
ャ信号と、ピクチャ取込手段により今回に取り込まれたピクチャ信号との差分値が、差分
値評価手段により、抽出され、予め設定された差分閾値と比較されることにより、前記差
分値が評価される。前記差分値が前記差分閾値以上であれば、前記ピクチャ信号のシーン
チェンジが有るとシーンチェンジ判定手段により判定される。また、前記タイマセット手
段によりセットされたタイマ時間が経過したか否かがタイマ時間判定手段により判定され
る。前記ピクチャ信号のシーンチェンジが有ると判定された時、あるいは前記タイマ時間
が経過したと判定された時は、エンコード・記録開始手段により、入力映像信号をエンコ
ーダでエンコードさせ、光ディスクに対して前記エンコードしたデータを記録開始させる
。
【００１３】
この構成によれば、タイマ時間の間、シーンチェンジを検出した時、あるいはシーンチ
ェンジが無ければ、記録を開始させるので、記録開始直後にシーンチェンジが起きないよ
うになり、これにより、記録開始時のエンコードの品質および品位が向上し、したがって
、再生時の画面のチラツキを回避でき、また、シーンチェンジにより高いエンコードビッ
トレートが要求されるが、記録開始直後にシーンチェンジが起きないようになって、シー
ンチェンジによる高いエンコードビットレートが要求されることがなく、これにより、再
生時のブロックノイズやモスキートノイズが発生するようなことを回避することができる
。
【００１４】
請求項２の発明は、記録キーを押下して記録開始時に、前回のピクチャ信号と今回のピ
クチャ信号との差分値による評価に基づいて、シーンチェンジが発生しないエンコード開
始ピクチャ信号を選択し、この選択されたピクチャ信号からエンコーダでエンコードさせ
、記録を開始させるピクチャ処理部を備えたことを特徴とする光ディスク記録再生装置を
提供する。
【００１５】
この構成において、記録キーが押下されると、記録開始時に、前回のピクチャ信号と今
回のピクチャ信号との差分値による評価に基づいて、シーンチェンジが発生しないエンコ
ード開始ピクチャ信号が選択され、この選択されたピクチャ信号からエンコードされて記
録が開始される。
【００１６】
この構成によれば、記録開始直後にシーンチェンジが起きないようになり、これにより
、記録開始時のエンコードの品質および品位が向上し、したがって、再生時の画面のチラ
ツキを回避でき、また、シーンチェンジにより高いエンコードビットレートが要求される
が、記録開始直後にシーンチェンジが起きないようになって、シーンチェンジによる高い
エンコードビットレートが要求されることがなく、これにより、再生時のブロックノイズ
やモスキートノイズが発生するようなことを回避することができる。
【００１７】
請求項３の発明では、請求項２の発明において、前記ピクチャ処理部は、入力された映
像信号によるビデオフレームのピクチャ信号を取り込むピクチャ取込手段と、前記ピクチ
ャ取込手段により前回に取り込まれたピクチャ信号と前記ピクチャ取込手段により今回に
取り込まれたピクチャ信号との差分値を抽出して予め設定された差分閾値と前記差分値と
を比較することにより前記差分値を評価する差分値評価手段と、前記差分値が前記差分閾
値以上であれば前記ピクチャ信号のシーンチェンジが有ると判定するシーンチェンジ判定
手段と、前記シーンチェンジが有ると判定された時に、前記映像信号をエンコーダでエン
コードさせ、記録を開始させるエンコード・記録開始手段とを有する。
【００１８】
したがって、ピクチャ処理部では、ピクチャ取込処理、差分値評価処理、シーンチェン
ジ判定処理、およびエンコード・記録開始処理が実現でき、これにより、記録開始直後に
シーンチェンジが起きないようにすることが可能になる。
【００１９】
請求項４の発明では、請求項２の発明において、前記ピクチャ処理部は、記録キーを押
下したとき所定のタイマ時間をセットするタイマセット手段と、入力された映像信号によ
るビデオフレームのピクチャ信号を取り込むピクチャ取込手段と、前記ピクチャ取込手段
により前回に取り込まれたピクチャ信号と前記ピクチャ取込手段により今回に取り込まれ
たピクチャ信号との差分値を抽出して予め設定された差分閾値と前記差分値とを比較する
ことにより前記差分値を評価する差分値評価手段と、前記差分値が前記差分閾値以上であ
れば前記ピクチャ信号のシーンチェンジが有ると判定するシーンチェンジ判定手段と、前
記タイマセット手段によりセットされたタイマ時間を経過したか否かを判定するタイマ時
間判定手段と、前記シーンチェンジが有ると判定された時、あるいは前記タイマ時間を経
過したと判定された時に、前記映像信号をエンコーダでエンコードさせ記録を開始させる
エンコード・記録開始手段とを有する。
【００２０】
したがって、ピクチャ処理部では、タイマセット処理、ピクチャ取込処理、差分値評価
処理、シーンチェンジ判定処理、タイマ時間判定処理、およびエンコード・記録開始処理
を実現でき、したがって、タイマ時間の間、シーンチェンジを検出した時、あるいはシー
ンチェンジが無ければ、記録を開始させることができ、これにより、記録開始直後にシー
ンチェンジが起きないようにすることが可能になる。
【発明の効果】
【００２１】
以上のように本発明によれば、記録キーを押下したとき所定のタイマ時間をセットする
タイマセット手段と、入力された映像信号によるビデオフレームのピクチャ信号を取り込
むピクチャ取込手段と、前記ピクチャ取込手段により前回に取り込まれたピクチャ信号と
前記ピクチャ取込手段により今回に取り込まれたピクチャ信号との差分値を抽出して予め
設定された差分閾値と前記差分値とを比較することにより前記差分値を評価する差分値評
価手段と、前記差分値が前記差分閾値以上であれば前記ピクチャ信号のシーンチェンジが
有ると判定するシーンチェンジ判定手段と、前記タイマセット手段によりセットされたタ
イマ時間を経過したか否かを判定するタイマ時間判定手段と、前記シーンチェンジが有る
と判定された時、あるいは前記タイマ時間を経過したと判定された時に、前記映像信号を
エンコーダでエンコードさせ記録を開始させるエンコード・記録開始手段とを有するピク
チャ処理部を備えたので、タイマ時間の間、シーンチェンジを検出した時、あるいはシー
ンチェンジが無ければ、記録を開始させることができ、記録開始直後にシーンチェンジが
起きないようになり、これにより、記録開始時のエンコードの品質および品位が向上し、
したがって、再生時の画面のチラツキを回避でき、また、シーンチェンジにより高いエン
コードビットレートが要求されるが、記録開始直後にシーンチェンジが起きないようにな
って、シーンチェンジによる高いエンコードビットレートが要求されることがなく、これ
により、再生時のブロックノイズやモスキートノイズが発生するようなことを回避するこ
とができる。
【００２２】
また、発明によれば、記録キーを押下して記録開始時に、前回のピクチャ信号と今回の
ピクチャ信号との差分値による評価に基づいて、シーンチェンジが発生しないエンコード
開始ピクチャ信号を選択し、この選択されたピクチャ信号からエンコーダでエンコードさ
せ記録を開始させるピクチャ処理部を備えたので、記録開始直後にシーンチェンジが起き
ないようになり、これにより、記録開始時のエンコードの品質および品位が向上し、した
がって、再生時の画面のチラツキを回避でき、また、シーンチェンジにより高いエンコー
ドビットレートが要求されるが、記録開始直後にシーンチェンジが起きないようになって
、シーンチェンジによる高いエンコードビットレートが要求されることがなく、これによ
り、再生時のブロックノイズやモスキートノイズが発生するようなことを回避することが
できる。
【発明を実施するための最良の形態】
【００２３】
以下、添付図面を参照しつつ、本発明の実施の形態について説明する。図１は本発明の
一実施形態に係る光ディスク記録再生装置の構成を示すブロック図である。
【００２４】
この光ディスク記録再生装置は、光ディスク１を回転させるスピンドルモータ５と、光
ディスク１に対して情報の書き込み／読み出しを光学的に行う光ピックアップ２と、この
光ピックアップ２を光ディスク１の半径方向に移動させるためのスレッド３と、システム
コントローラ２２の指示に応じてスピンドルモータ５およびスレッド３を駆動すると共に
光ピックアップ２に内蔵された対物レンズ（図示せず）を動かすことによりレーザ光の焦
点位置を光ディスク１の記録面に対して垂直方向および水平方向に移動させる制御を行う
サーボ制御部４とを備えている。
【００２５】
また、この光ディスク記録再生装置は、光ディスク１の再生時に光ピックアップ２から
の読取信号であるＲＦ信号を増幅するＲＦアンプ６と、このＲＦアンプ６から出力された
ＲＦ信号をデジタルデータに変換した後に光ディスク１のデータフォーマットに応じた信
号復調処理と誤り訂正処理を行って生成したデータをＲＡＭ７に格納するデジタル信号処
理部８と、システムコントローラ２２の指示に応じてデジタル信号処理部８から出力され
たデータストリームの中からオーディオデータとサブピクチャデータとビデオデータとを
分離するストリーム分離部９とを備えている。
【００２６】
また、この光ディスク記録再生装置は、ストリーム分離部９から出力されたオーディオ
データを入力して所定のデコード処理を行うオーディオデコーダ１１と、このオーディオ
デコーダ１１でのデコード処理を行うためにデータを一時的に格納するＲＡＭ１０と、ス
トリーム分離部９から出力されたサブピクチャデータを入力して所定のデコード処理を行
うサブピクチャデコーダ１３と、このサブピクチャデコーダ１３でのデコード処理を行う
ためにデータを一時的に格納するＲＡＭ１２と、ストリーム分離部９から出力されたビデ
オデータを入力して所定のデコード処理を行うビデオデコーダ１５と、このビデオデコー
ダ１５でのデコード処理を行うためにデータを一時的に格納するＲＡＭ１４とを備えてい
る。
【００２７】
また、この光ディスク記録再生装置は、システムコントローラ２２の指示に応じてビデ
オデコーダ１５から出力されたデータとサブピクチャデコーダ１３から出力されたデータ
とを合成するビデオプロセッサ１７と、このビデオプロセッサ１７から出力された合成デ
ータを表示用のビデオ信号に変換して画像をディスプレイ装置２０に表示させるビデオエ
ンコーダ１８と、オーディオデコーダ１１から出力されたデータをアナログのオーディオ
信号に変換して例えばスピーカ１９に供給するＤ／Ａ変換器１６とを備えている。
【００２８】
また、この光ディスク記録再生装置は、システムコントローラ２２に対して、記録指示
を与えるためのＲＥＣキー（記録キー）、再生指示を与えるための再生キー、記録や再生
の停止指示を与えるための停止キーなど、各種操作キーを有するリモコン２１と、装置全
体を制御する前記システムコントローラ２２とを備えている。また、この光ディスク記録
再生装置は、装置の各構成要素を制御したり、装置全体を制御したりするためのプログラ
ムやデータが記憶されたフラッシュＲＯＭ２３と、このフラッシュＲＯＭ２３のプログラ
ムやデータに従って演算処理を行いシステムコントローラ２２を制御するＣＰＵ２４と、
このＣＰＵ２４の演算処理に必要なデータを一時的に格納するＲＡＭ２７とを備えている
。
【００２９】
また、この光ディスク記録再生装置は、アンテナ２８に接続されるチューナ２９と、こ
のチューナ２９で選局されたテレビジョン放送のアナログの映像音声信号、あるいは図示
しないテレビジョン受信機や他の映像音声再生装置からの映像音声信号をデジタルの映像
音声データに変換するＡ／Ｄ変換回路３０と、前記映像音声データをエンコードするエン
コーダ３１と、前記エンコードした映像音声データを一時的に所定量だけ格納するバッフ
ァメモリ３２と、記録データ変調回路２５と接続するインターフェイス３３と、このイン
ターフェイス３３から送られてきたエンコードデータを光ディスク１に記録するために変
調をかける前記記録データ変調回路２５と、この記録データ変調回路２５により変調され
た変調データに基づいて光ピックアップ２から出射するレーザ光を変調させるためのレー
ザ変調信号を光ピックアップ２に出力するレーザ変調回路２６とを備えている。
【００３０】
また、この光ディスク記録再生装置はピクチャ処理部３４を備えている。図２はこのピ
クチャ処理部３４の構成を示すブロック図である。図２に示すように、このピクチャ処理
部３４は、リモコン２１（図１参照）などのＲＥＣキー（記録キー）を押下したときタイ
マ３５に対して所定のタイマ時間をセットするタイマセット手段３６と、入力された映像
信号によるビデオフレームのピクチャ信号を取り込むピクチャ取込手段３８と、このピク
チャ取込手段３８により前回に取り込まれたピクチャ信号とピクチャ取込手段３８により
今回に取り込まれたピクチャ信号との差分値を抽出して予め設定された差分閾値と前記差
分値とを比較することにより前記差分値を評価する差分値評価手段３９とを備えている。
【００３１】
また、このピクチャ処理部３４は、前記差分値が前記差分閾値以上であれば前記ピクチ
ャ信号のシーンチェンジが有ると判定するシーンチェンジ判定手段４０と、前記タイマセ
ット手段３６によりセットされたタイマ時間を経過したか否かを判定するタイマ時間判定
手段３７と、前記シーンチェンジが有ると判定された時、あるいは前記タイマ時間を経過
したと判定された時に、前記映像信号をエンコーダ３１でエンコードさせ、記録を開始さ
せるエンコード・記録開始手段４１とを備えている。
【００３２】
なお、ピクチャ処理部３４は、エンコーダ３１の内部に備えても良く、あるいはシステ
ムコントローラ２２の内部に備えても良い。エンコーダ３１にシーンチェンジ検出機能が
有れば、シーンチェンジ時に一時的にビットレートを高くできて、シーンチェンジの判定
の精度が上がるので、ピクチャ処理部３４をエンコーダ３１に持たす方が好ましい。
【００３３】
図３は本実施形態においてエンコード・記録開始までの処理を説明するためのフローチ
ャートである。このフローチャートを参照してエンコード・記録開始までの処理について
説明する。
【００３４】
先ず、リモコン２１のＲＥＣキーが押下されると（ステップＳ１）、これに応答して、
システムコントローラ２２は装置を記録モード（録画モード）に設定する。また、ＲＥＣ
キーの押下に応答して、ピクチャ処理部３４のタイマセット手段３６は、タイマ３５に所
定のタイマ時間をセットする（ステップＳ２）。次に、ピクチャ取込手段３８は、入力デ
ジタル映像信号（ストリーム化されていない映像信号）によるビデオフレームのピクチャ
信号を取り込む（ステップＳ３）。
【００３５】
タイマ時間は、ＲＥＣキーを押下してから実際にエンコードデータの記録に入るまでの
応答時間を考慮した時間によって設定される。ＲＥＣキーを押下してから実際にエンコー
ドデータの記録に入るまでの応答時間が例えば、１秒，２秒位であれば、タイマ時間は１
秒，２秒位に設定される。なお、編集時のコマーシャルカットのとき、コマーシャル前の
所から編集を開始すると、コマーシャルに入った境目を検出して、その境目からコマーシ
ャルを消去したり、本来の情報を記録したりするような特殊な使い方であると、ある程度
、タイマ時間を長く取れば良いが、通常の使い方であれば、ＲＥＣキーを押下したときに
記録が開始する時点を得るためのタイマ時間としては、前述したように１秒，２秒位に設
定される。
【００３６】
前記入力デジタル映像信号とは、例えばアンテナ２８で受信した複数のテレビジョン放
送の映像音声信号のうち、所望するテレビジョン放送の映像音声信号をチューナ２９で選
局して、この選局した映像音声信号（アナログ信号）をＡ／Ｄ変換回路３０でデジタルの
映像音声信号に変換して、この変換したデジタルの映像音声信号のうちのデジタル映像信
号のことを言う。なお、前記映像音声信号はチューナ２９からの映像音声信号に限らず、
他の映像音声再生装置からの映像音声信号であっても良い。
【００３７】
前記のように入力デジタル映像信号によるビデオフレームのピクチャ信号がピクチャ取
込手段３８により取り込まれた後（ステップＳ３）、差分値評価手段３９は、ピクチャ取
込手段３８により前回に取り込まれたピクチャ信号と、ピクチャ取込手段３８により今回
に取り込まれたピクチャ信号との差分値を抽出して（ステップＳ４）、予め設定された差
分閾値と前記差分値とを比較することにより、前記差分値を評価する。なお、前記差分値
は、前回に取り込まれたピクチャ信号と、今回に取り込まれたピクチャ信号とを、図示し
ないデジタルローパスフィルタを通過して得られた低域周波数成分により評価される。
【００３８】
そして、シーンチェンジ判定手段４０は、前記差分値が前記差分閾値以上であれば（ス
テップＳ５）、前記ピクチャ信号のシーンチェンジが有ると判定される。また、タイマ時
間判定手段３７は、タイマセット手段３６によりセットされたタイマ時間が経過したか否
かを判定する。即ち、タイマ時間判定手段３７は、タイマセット手段３６によりタイマ３
５のタイマ時間が例えば２秒に設定されていたとすると、ＲＥＣキーが押下されてから２
秒経過すると、タイマ時間は零になるので、タイマ時間判定手段３７は、タイマ時間が零
であるか否かを判定する（ステップＳ８）。
【００３９】
前述したように、前記ピクチャ信号のシーンチェンジが有ると判定された時、あるいは
前記タイマ時間が経過したと判定された時は、エンコード・記録開始手段４１は、Ａ／Ｄ
変換回路３０からの入力デジタル映像信号をエンコーダ３１でエンコードさせ、光ディス
ク１に対してエンコードデータを記録開始させ（ステップＳ６）、記録が終了すれば（ス
テップＳ７）、本処理は終える。
【００４０】
なお、以上説明した実施形態におけるピクチャ処理部３７では、Ａ／Ｄ変換回路３０か
らのデジタル映像信号を入力した場合の処理について説明したが、Ａ／Ｄ変換回路３０で
デジタル映像信号に変換される前のアナログ映像信号を入力した場合は、ピクチャ処理部
３４では、アナログ映像信号によるビデオフレームのピクチャ信号をピクチャ取込手段３
８で取り込み、前回に取り込まれたピクチャ信号と今回に取り込まれたピクチャ信号とを
アナログローパスフィルタを介して低域周波数成分を取り出し、差分値評価手段３９によ
り差分値を評価すれば良い。
【００４１】
以上説明したように本実施形態によれば、タイマ時間の間、シーンチェンジを検出した
時、あるいはシーンチェンジが無ければ、記録を開始させるので、記録開始直後にシーン
チェンジが起きないようになり、これにより、記録開始時のエンコードの品質および品位
が向上し、したがって、再生時の画面のチラツキを回避でき、また、シーンチェンジによ
り高いエンコードビットレートが要求されるが、記録開始直後にシーンチェンジが起きな
いようになって、シーンチェンジによる高いエンコードビットレートが要求されることが
なく、これにより、再生時のブロックノイズやモスキートノイズが発生するようなことを
回避することができる。
【図面の簡単な説明】
【００４２】
【図１】本発明の一実施形態に係る光ディスク記録再生装置の構成を示すブロック図である。
【図２】前記実施形態においてピクチャ処理部の構成を示すブロック図である。
【図３】前記実施形態においてエンコード・記録開始までの処理を説明するためのフローチャートである。
【符号の説明】
【００４３】
１    光ディスク
３１    エンコーダ
３４    ピクチャ処理部
３５    タイマ
３６    タイマセット手段
３７    タイマ時間判定手段
３８    ピクチャ取込手段
３９    差分値評価手段
４０    シーンチェンジ判定手段
４１    エンコード・記録開始手段
【図１】
2006268992.tif 000003
【図２】
2006268992.tif 000004
【図３】
2006268992.tif 000005